(57)【特許請求の範囲】
【請求項１】
記録媒体にデジタル記録された曲を再生する再生装置と、記録モードを予め複数有し前記再生装置で再生された曲をいずれかの記録モードでデジタル記録する記録装置とを備えた録音再生システムにおいて、
前記記録媒体に予め記録された曲の中から再生する曲を指定する曲指定手段と、
前記曲指定手段で指定された曲を再生する順番を指定する順番指定手段と、
前記曲指定手段で指定された曲に応じて前記記録装置に記録する記録モードを指定する記録モード指定手段と、
を備えることを特徴とする録音再生システム。
【請求項２】
前記記録モード指定手段は、前記曲指定手段で指定された曲毎に記録モードを指定することを特徴とする請求項１に記載の録音再生システム。
【請求項３】
記録モードを予め複数有し前記再生装置で再生された曲をいずれかの記録モードでデジタル記録する前記記録装置とは異なる第２の記録装置と、
前記曲指定手段で指定された曲毎に前記第２の記録装置に記録する記録モードを指定する第２の記録モード指定手段と、
を備えることを特徴とする請求項１又は２に記載の録音再生システム。
【請求項４】
前記記録モードは、音声圧縮率であることを特徴とする請求項１から３の何れかに記載の録音再生システム。
【請求項５】
記録媒体にデジタル記録された曲を再生する再生装置と、前記再生装置で再生された曲をデジタル記録する複数の記録装置とを備えた録音再生システムにおいて、
前記再生装置で再生された曲を前記複数の記録装置にデジタル記録する際、前記各記録装置に記録する記録内容をそれぞれ個別に設定する設定手段と、
前記再生装置の再生動作中に、前記設定手段により設定した各設定内容に従って前記各記録装置の記録動作を制御する記録制御手段と、
を備えることを特徴とする録音再生システム。
【発明の詳細な説明】
【０００１】
【発明の属する技術分野】
本発明は、ＣＤ等から再生されたデジタル音楽データを複数の記録媒体に対し同時に記録可能な録音再生システムに関する。
【０００２】
【従来の技術】
近時、ＣＤ（Compact Disc）等に記録されたデジタル音楽データを、ＭＤ（Mini Disc）等の複数記録媒体に同時に記録可能な録音再生システムが実用化されている。
【０００３】
また、ＭＤ等の記録媒体にデジタル音楽データを記録する際、複数の異なる圧縮方式が考案されている。例えば、ＭＤに記録する場合、ＡＴＲＡＣ圧縮方式と呼ばれる圧縮方式が用いられている。ここで、ＡＴＲＡＣ（Adaptive Transform Acoustic Coding）とは、ＭＤ用デジタル音楽データに適用され、聴覚心理モデルに基づいてデジタル音楽データをＭＤへ長時間録音するためのデータ圧縮技術であり、デジタル音声信号に対するＭＤＣＴ（Modified Discrete Cosine Transform）係数を適応ビットに配分してスカラー量子化する符号化方式である。圧縮率は約５分の１である。
【０００４】
このＡＴＲＡＣ圧縮方式による記録モードは、ＭＤに記録する際の標準記録モード（ＭＤＳＰ；MD Standard Play mode）であるが、最近、このＡＴＲＡＣ圧縮方式を改良し、その２倍の圧縮率を実現したＡＴＲＡＣ３―ＬＰ２、更にその２倍の圧縮率に変換可能なＡＴＲＡＣ３―ＬＰ４が考案され、ＭＤＬＰ（MD Long Play mode;ＭＤ長時間記録モード）として実用化されている。すなわち、上記ＡＴＲＡＣ圧縮方式によるＭＤＳＰで記録する場合と比較すると、ＡＴＲＡＣ３―ＬＰ２のＭＤＬＰを用いれば、その２倍のステレオ長時間記録が可能となり、またＡＴＲＡＣ３―ＬＰ４のＭＤＬＰを用いた場合は、４倍のステレオ長時間記録が可能となる。
【０００５】
【発明が解決しようとする課題】
しかし、上記従来の録音再生システムにおいては、以下に示す問題点があった。すなわち、ＣＤからＭＤへの全曲録音に加え、録音するトラックやその録音する順序を任意に設定できるプログラム録音が行えるものであるが、その設定したプログラムは、複数のＭＤに共通して適用されていた。その為、一つのＣＤから、複数のＭＤにそれぞれ異なった記録内容で記録する場合、設定したプログラム別にその都度再生動作を繰り返し、ＭＤ毎に記録しなければならず、時間の浪費を招いていた。
【０００６】
すなわち、２枚のＭＤに対し１枚のＣＤからのデータを同時に記録する場合、このＣＤの２曲目、４曲目、及び、１曲目をこの順序でＭＤに記録させるプログラム録音を実行すると、その２曲目、４曲目、及び、１曲目がこの順番で２枚同時にＭＤに記録される。例えば、一方のＭＤには上記２曲目と１曲目をこの順番で記録し、同時に、もう一方のＭＤにはその４曲目と２曲目をこの順番で記録する等のようにＭＤ毎に異なる記録設定を行うことができなかった。
【０００７】
また、複数のＭＤに１枚のＣＤからのデータを同時に記録する際、記録するＭＤや曲に応じて圧縮方式を自由に設定することができなかった。例えば、２枚のＭＤに対し１枚のＣＤからのデータを同時に記録する場合、一方のＭＤでは、まず上記ＣＤの２曲目をＡＴＲＡＣ圧縮方式によるＭＤＳＰを用いて記録し、次いでその１曲目をＡＴＲＡＣ３―ＬＰ４圧縮方式によるＭＤＬＰを用いて記録し、同時にもう一方のＭＤでは、はじめに上記ＣＤの４曲目をＡＴＲＡＣ３―ＬＰ２圧縮方式によるＭＤＬＰで記録し、次いでその２曲目をＡＴＲＡＣ圧縮方式によるＭＤＳＰで記録する等、ＭＤや曲に応じて圧縮方式を自由に設定することができなかった。その為、記録する曲全てに同一圧縮方式を用いるので、曲によって圧縮方式を変えてＭＤに記録する曲数を増やしたりする等、ＭＤを効率よく使用することができず不経済であった。
【０００８】
本発明の課題は、複数の記録媒体に同時記録可能な録音再生システムであって、より柔軟に記録モードの設定が行え、記録時間や電力等の節約が図れる録音再生システムを提供することである。
【０００９】
【課題を解決するための手段】
本発明は、このような課題を解決するために、次のような特徴を備えている。なお、次に示す手段の説明中、括弧書きにより実施の形態に対応する構成を一例として示す。符号等は、後述する図面参照符号等である。
【００１０】
請求項１記載の発明は、
記録媒体にデジタル記録された曲を再生する再生装置（例えば、図１に示すＣＤ部１２）と、記録モードを予め複数有し前記再生装置で再生された曲をいずれかの記録モードでデジタル記録する記録装置（例えば、図１に示すＭＤ部１３ａ）とを備えた録音再生システム（例えば、図１に示す記録再生装置１０）において、
前記記録媒体に予め記録された曲の中から再生する曲を指定する曲指定手段（例えば、図１に示すシステムコントローラ１１）と、
前記曲指定手段で指定された曲を再生する順番を指定する順番指定手段（例えば、図１に示すシステムコントローラ１１）と、
前記曲指定手段で指定された曲に応じて前記記録装置に記録する記録モードを指定する記録モード指定手段（例えば、図１に示すシステムコントローラ１１）と、
を備えることを特徴とする。
【００１１】
請求項１記載の発明の録音再生システムによれば、記録媒体にデジタル記録された曲を再生する再生装置と、記録モードを予め複数有し前記再生装置で再生された曲をいずれかの記録モードでデジタル記録する記録装置とを備えた録音再生システムにおいて、曲指定手段は、記録媒体に予め記録された曲の中から再生する曲を指定し、順番指定手段は、前記曲指定手段で指定された曲を再生する順番を指定し、記録モード指定手段は、前記曲指定手段で指定された曲に応じて前記記録装置に記録する記録モードを指定する。
【００１２】
請求項２記載の発明は、請求項１記載の録音再生システムにおいて、
前記記録モード指定手段は、前記曲指定手段で指定された曲毎に記録モードを指定することを特徴とする。
【００１３】
従って、請求項１、または２に記載の発明によれば、曲毎に好適な記録モードを指定して記録することが可能となり、優れた機能性と操作性を備えた利便性の高い録音再生システムが実現できる。
【００１４】
請求項３記載の発明は、請求項１又は２に記載の録音再生システムにおいて、記録モードを予め複数有し前記再生装置で再生された曲をいずれかの記録モードでデジタル記録する前記記録装置とは異なる第２の記録装置（例えば、図１に示すＭＤ部１３ｂ）と、
前記曲指定手段で指定された曲毎に前記第２の記録装置に記録する記録モードを指定する第２の記録モード指定手段（例えば、図１に示すシステムコントローラ１１）と、
を備えることを特徴とする。
【００１５】
請求項３記載の発明によれば、第２の記録装置は、記録モードを予め複数有し前記再生装置で再生された曲をいずれかの記録モードでデジタル記録し、第２の記録モード指定手段は、前記曲指定手段で指定された曲毎に前記第２の記録装置に記録する記録モードを指定する。
【００１６】
従って、２つの記録装置に対してそれぞれ曲毎に記録モードを指定して記録することができるので、２つの記録装置を備えた録音再生システムにおいても記録モードを指定して各曲の記録が行え、より柔軟な記録操作が可能となり、機能性の高い録音再生システムが実現される。
【００１７】
請求項４記載の発明は、請求項１から３の何れかに記載の録音再生システムにおいて、
前記記録モードは、音声圧縮率であることを特徴とする。
【００１８】
従って、記録する記録媒体、または曲に応じて音声圧縮率を個別に設定できるので、どの曲でも好適な音声圧縮率で記録でき、優れた機能性と操作性を実現できるばかりでなく、音声圧縮率を曲毎に調整することにより、例えば、音質を優先しない曲に関しては高い音声圧縮率で記録し、逆に音質を優先する曲に関しては低い音声圧縮率で記録するなど、記録媒体を効率良く使用することが可能となり、経済性の向上も図られる。
【００１９】
請求項５記載の発明は、
記録媒体にデジタル記録された曲を再生する再生装置（例えば、図１に示すＣＤ部１２）と、前記再生装置で再生された曲をデジタル記録する複数の記録装置（例えば、図１に示すＭＤ部１３ａ、及び１３ｂ）とを備えた録音再生システム（例えば、図１に示す記録再生装置１０）において、
前記再生装置で再生された曲を前記複数の記録装置にデジタル記録する際、前記各記録装置に記録する記録内容をそれぞれ個別に設定する設定手段（例えば、図１に示すシステムコントローラ１１）と、
前記再生装置の再生動作中に、前記設定手段により設定した各設定内容に従って前記各記録装置の記録動作を制御する記録制御手段（例えば、図１に示すシステムコントローラ１１）と、
を備えることを特徴とする。
【００２０】
請求項５記載の発明の録音再生システムによれば、記録媒体にデジタル記録された曲を再生する再生装置と、前記再生装置で再生された曲をデジタル記録する複数の記録装置とを備えた録音再生システムにおいて、設定手段は、前記再生装置で再生された曲を前記複数の記録装置にデジタル記録する際、前記各記録装置に記録する記録内容をそれぞれ個別に設定し、記録制御手段は、前記再生装置の再生動作中に、前記設定手段により設定した各設定内容に従って前記各記録装置の記録動作を制御する。
【００２１】
従って、一度の再生動作で複数の記録装置にそれぞれ異なる記録動作を行わせることができるので、記録の為の時間の短縮、及び消費電力の節約が図られる。
【００２２】
【発明の実施の形態】
以下、図１、図２を参照して本発明の実施の形態における記録再生装置１０について詳細に説明する。
図１は、本発明の一実施の形態における記録再生装置１０の内部構成を説明するブロック図である。
【００２３】
記録再生装置１０は、ＣＤ部１２、ＭＤ部１３ａ、１３ｂ、システムコントローラ１１、操作部１４、表示部１５、通信制御部１６、出力選択部１７、Ｄ／Ａコンバータ１８、増幅器１９を備えて構成される。ＣＤ部１２は、信号ラインＬ１、Ｌ２を介してシステムコントローラ１１に接続されるとともに、デジタル音声ラインＡ５を介して出力選択部１７に接続される。ＭＤ部１３ａは、信号ラインＬ３ａ、Ｌ４ａを介してシステムコントローラ１１に接続されるとともに、デジタル音声ラインＡ１、Ａ３を介してＣＤ部１２、出力選択部１７にそれぞれ接続され、ＭＤ部１３ｂは、信号ラインＬ３ｂ、Ｌ４ｂを介してシステムコントローラ１１に接続されるとともに、デジタル音声ラインＡ２、Ａ４を介してＣＤ部１２、出力選択部１７にそれぞれ接続される。また、操作部１４、表示部１５、通信制御部１６は、信号ラインＬ６、Ｌ７、Ｌ８を介してシステムコントローラ１１に接続され、Ｄ／Ａコンバータ１８はデジタル音声ラインＡ６を介して出力選択部１７に接続される。
【００２４】
ＣＤ部１２から出力されたデジタル音楽データは、デジタル音声ラインＡ１、Ａ２を介してＭＤ部１３ａ、１３ｂにそれぞれ供給され、その供給されたデジタル音楽データはＭＤ部１３ａ、１３ｂに各々装填されたＭＤに記録される。また、ＣＤ部１２を制御する制御信号は、システムコントローラ１１から信号ラインＬ１を介してＣＤ部１２に供給され、ＭＤ部１３ａおよび１３ｂを制御する制御信号は、システムコントローラ１１から信号ラインＬ３ａおよびＬ３ｂを介してＭＤ部１３ａ、１３ｂにそれぞれ供給される。
【００２５】
システムコントローラ１１は、ＣＰＵ（Central Processing Unit）、ＲＯＭ（Read Only Memory）、及びＲＡＭ（Random Access Memory）等により構成される。上記内蔵ＲＯＭは、記録再生装置１０の動作を制御するアプリケーションプログラムを格納し、また、内蔵ＲＡＭは、装填されたＣＤ，ＭＤから読み取った各種ＴＯＣ情報、及び、ＣＤからＭＤへのプログラム再生／記録する為のプログラム等が記録されている。
【００２６】
特に上記ＣＤからＭＤへのプログラム再生／記録する為のプログラムは、ＭＤ部１３ａ、１３ｂそれぞれに装填されたＭＤ毎に、その記録する曲や順序、及び、ＭＤＳＰやＭＤＬＰによる記録モードを曲毎に自由に設定するものである。
【００２７】
例えば上記プログラムの一例として、ＣＤの再生中、ＭＤ部１３ａは、装填するＭＤに対し、そのＣＤの２曲目および３曲目をＡＴＲＡＣ圧縮方式によるＭＤＳＰモードで記録し、６曲目をＡＴＲＡＣ３―ＬＰ２圧縮方式によるＭＤＬＰモードで記録すると共に、ＭＤ部１３ｂは、装填するＭＤに対し、その１曲目と８曲目をＡＴＲＡＣ３―ＬＰ４圧縮方式によるＭＤＬＰモードで記録し、５曲目をＡＴＲＡＣ圧縮方式によるＭＤＳＰモードで記録するプログラムが実行可能である。このプログラムによれば、ＣＤ部１２は、１曲目〜８曲目まで、４曲目と７曲目を跳ばしてＣＤの再生を行う。その際、ＭＤ部１３ａは２曲目、３曲目、及び６曲目を上記圧縮方式に基づいて記録すると共に、その曲の記録アドレス、記録順序（２曲目、３曲目、６曲目の順）、及び圧縮方法等の各種記録情報をそのＭＤのＵＴＯＣ（User Table Of Contents）記録エリアに記録し、また、ＭＤ部１３ｂは１曲目、５曲目、及び８曲目を上記圧縮方式に基づいて記録すると共に、その曲の記録アドレス、記録順序（１曲目、８曲目、５曲目の順）、及び圧縮方法等の各種記録情報をそのＭＤのＵＴＯＣ記録エリアに記録する。
【００２８】
システムコントローラ１１は、信号ラインＬ１を介してＣＤの再生に係る各種動作を制御するＣＤ制御信号をＣＤ部１２に出力するとともに、装填されたＭＤの再生／記録に係る各種動作を制御するＭＤ制御信号を信号ラインＬ３ａ、Ｌ３ｂを介してＭＤ部１３ａ、１３ｂにそれぞれ供給する。また、システムコントローラ１１は、出力選択部１７に対する制御信号を、信号ラインＬ５を介して出力選択部１７に供給してＣＤ部１２、ＭＤ部１３ａ、１３ｂからの出力信号のうち、何れの信号を出力するかを切り替える切替動作を行う。
【００２９】
システムコントローラ１１からＣＤ部１２に供給される上記ＣＤ制御信号は、ＣＤの再生動作等を制御するものであり、上記内蔵ＲＡＭに記録された上記プログラム再生／記録用のプログラムに基づく再生開始／停止命令、再生一時停止命令、アクセス命令、及び、サーボ系制御命令等が含まれる。また、システムコントローラ１１からＭＤ部１３ａ、１３ｂに信号ラインＬ３ａ、Ｌ３ｂを介してそれぞれ供給される上記ＭＤ制御信号は、各ＭＤの記録再生動作等を制御するものであり、上記内蔵ＲＡＭに記録された上記プログラム再生／記録用のプログラムに基づく再生開始／停止命令、記録開始／停止命令、再生／記録一時停止命令、アクセス命令、サーボ系制御命令、及び、音声圧縮率指定命令等が含まれる。特に、システムコントローラ１１は、上記プログラム再生／記録用プログラムに基づくＣＤから各ＭＤへの記録処理を行う場合、ＣＤ部１２の再生動作と、ＭＤ部１３ａ、１３ｂの記録動作との間の動作連携を制御する制御信号を信号ラインＬ１、Ｌ３ａ、Ｌ３ｂを介して、ＣＤ部１２、ＭＤ部１３ａ、１３ｂに供給する。
【００３０】
システムコントローラ１１は、ＣＤ部１２、ＭＤ部１３ａ、１３ｂに予め記録されたＴＯＣ（Table Of Contents）情報、又はＵＴＯＣ（User Table Of Contents）を信号ラインＬ２、Ｌ４ａ、Ｌ４ｂをそれぞれ介して取得する。
【００３１】
ＣＤ部１２は、ＣＤの装填および開放が可能であり、システムコントローラ１１から信号ラインＬ１を介して供給される上記ＣＤ制御信号に基づいてＣＤの再生に係る各種動作等が行われる。また、ＣＤ部１２において再生されたデータは、デジタル音声ラインＡ５を介して出力選択部１７に供給される。
【００３２】
ＭＤ部１３ａ、１３ｂは、ＭＤの装填および開放が可能であり、システムコントローラ１１から信号ラインＬ３ａ、Ｌ３ｂをそれぞれ介して供給される上記ＭＤ制御信号に基づいてＭＤの再生／記録に係る各種動作等が行われる。また、ＭＤ部１３ａ、１３ｂにおいて再生されたデータは、デジタル音声ラインＡ３、Ａ４を介して出力選択部１７に出力される。
【００３３】
操作部１４は、ＣＤ、ＭＤの再生動作（再生開始、再生停止等）を指示したり、ＭＤの記録動作（記録開始、記録停止等）を指示する為の各種操作キー、及び、プログラム再生／録音用のプログラム（曲順、曲番号、及び圧縮方式等）を設定する為の番号キー、プログラムキー、及び決定キー等を備える。操作部１４の備える上記各種キーのキー操作による指示信号は、システムコントローラ１１に出力される。
【００３４】
ここで、プログラム再生する曲番の番号キーを順に押下することにより再生する曲とその再生順番が指定され、決定キーの押下によりその設定された曲が設定順に再生される。例えば、ＣＤの３曲目、５曲目、及び８曲目を、はじめに８曲目、次に３曲目、そして最後に５曲目の順に再生させる場合、ユーザは、まず上記番号キーの“８”を押下し、次いで同番号キーの“３”を押下し、そして最後に“５”の番号キーを押下した後、決定キーを押下する。また、プログラムされた各曲に対応付けて音声圧縮率等の記録モードを設定できる。
【００３５】
表示部１５は、ＬＣＤ（Liquid Crystal Display）等の表示画面を備える。この表示部１５は、システムコントローラ１１から出力される各種表示情報を表示する。例えば、ＣＤに予め記録されたＴＯＣ情報（トラック番号、演奏時間等）、記録再生装置１０の動作状態（再生中、停止中等）、動作モード（ＣＤ再生、ＭＤ再生等）、ＭＤ圧縮方式（ＭＤＳＰモード、ＭＤＬＰ２倍モード、あるいはＭＤＬＰ４倍モード）、及び、再生／記録動作の進行時間等の表示を行う。
【００３６】
通信制御部１６は、リモコン１０ａからの遠隔制御信号を受信する受信回路を備え、受信した遠隔制御信号を復調して信号ラインＬ８を介してシステムコントローラ１１に出力する。
【００３７】
出力選択部１７は、信号ラインＬ５を介してシステムコントローラ１１から供給される制御信号に応じて、ＣＤ部１２からデジタル音声ラインＡ５を介して供給されるＣＤデジタル音楽データ、ＭＤ部１２ａ、１２ｂからデジタル音声ラインＡ３、Ａ４をそれぞれ介して供給されるＭＤデジタル音楽データのうち、Ｄ／Ａコンバータ１８に出力するデジタルデータを選択する。
【００３８】
Ｄ／Ａコンバータ１８は、デジタル音声ラインＡ６を介して出力選択部１７から供給されるデジタルデータをアナログ信号に変換し、その変換したアナログ信号を増幅器１９に出力する。
【００３９】
増幅器１９は、Ｄ／Ａコンバータ１８より供給されたアナログ信号を増幅し、音声信号として出力端子に出力する。
【００４０】
リモコン１０ａは、上記操作部１４と同様に、ＣＤ、ＭＤの再生動作（再生開始、再生停止等）を指示したり、ＭＤの記録動作（記録開始、記録停止等）を指示する為の各種操作キー、及び、プログラム再生／録音用のプログラム（曲順、曲番号、及び圧縮方式等）を設定する為の番号キー、プログラムキー、及び決定キー等を備える。リモコン１０ａの備える上記各種キーのキー操作による指示信号は、遠隔制御信号として通信制御部１６に送信される。
【００４１】
リモコン１０ａにおいて、プログラム再生する曲番の番号キーを順に押下することにより再生する曲とその再生順番が指定される。その指定処理の後、決定キーの押下によりその設定内容が記録再生装置１０の通信制御部１６に送信されて、その設定された曲が設定順に再生される。例えば、ＣＤの３曲目、５曲目、及び８曲目を、はじめに８曲目、次に３曲目、そして最後に５曲目の順に再生させる場合、ユーザは、まず上記番号キーの“８”を押下し、次いで同番号キーの“３”を押下し、そして最後に“５”の番号キーを押下した後、決定キーを押下する。また、プログラムされた各曲に対応付けて音声圧縮率等の記録モードを設定できる。
【００４２】
次いで、本実施の一形態の記録再生装置１０における動作の説明をする。
図２は、記録再生装置１０のＭＤ部１３ａ、及びＭＤ部１３ｂにおけるＭＤ記録編集処理を説明するフローチャートである。すなわち、ＭＤ部１３ａ、及びＭＤ部１３ｂは、共に図２に示すフローチャートに従ったＭＤ記録編集処理が行われる。
【００４３】
ＣＤ部１２に所定のＣＤが装填され、ＭＤ部１３ａ、１３ｂにはそのＣＤの音楽データを記録するために必要な記録容量を備えたＭＤがそれぞれ装填されているものとする。まず、操作部１４の備えるプログラムキー、或いはリモコン１０ａの備える入力キーによるプログラム入力操作より、ＣＤに記録された音楽データをどのようにＭＤに記録するかが設定され（曲、記録順、及び圧縮方式等）、その設定内容に基づいたＭＤ記録処理プログラムが作成されて（ステップＳ２１）、そのＭＤ記録処理プログラムがシステムコントローラ１１の内蔵ＲＡＭに記録される。
【００４４】
次いで、システムコントローラ１１は、ステップＳ２１において作成された上記ＭＤ記録処理プログラムを順次読み取り、ＣＤ部１２の再生動作、およびＭＤ部１３ａ、１３ｂの記録動作を待機状態とした後（ステップＳ２２）、ＭＤ部１３ａに装填されたＭＤの記録処理を行うか否かをその読み取ったＭＤ記録処理プログラムの内容に基づいて判定する（ステップＳ２３）。
【００４５】
ステップＳ２３において、ＭＤ部１３ａのＭＤの記録処理を行わない場合（ステップＳ２３；Ｎｏ）、システムコントローラ１１は、ＭＤ部１３ａを待機状態とし（ステップＳ２５）、その状態を保持してステップＳ２６に移行する。
【００４６】
ステップＳ２３において、ＭＤ部１３ａのＭＤの記録処理を行う場合（ステップＳ２３；Ｙｅｓ）、システムコントローラ１１は、上記ＭＤ記録処理プログラムの内容に基づいて、そのＭＤに対する記録処理を実行する（ステップＳ２４）。
【００４７】
次いでシステムコントローラ１１は、ＭＤ部１３ｂに装填されたＭＤの記録処理を行うか否かをその読み取った上記ＭＤ記録処理プログラムの内容に基づいて判定する（ステップＳ２６）。
【００４８】
ステップＳ２６において、ＭＤ部１３ｂのＭＤの記録処理を行わない場合（ステップＳ２６；Ｎｏ）、システムコントローラ１１は、ＭＤ部１３ｂを待機状態とし（ステップＳ２８）、その状態を保持してステップＳ２９に移行する。
【００４９】
ステップＳ２６において、ＭＤ部１３ｂのＭＤの記録処理を行う場合（ステップＳ２６；Ｙｅｓ）、システムコントローラ１１は、上記ＭＤ記録処理プログラムの内容に基づいてそのＭＤに対する記録処理を実行すると共に（ステップＳ２７）、ＣＤの再生を行う（ステップＳ２９）。
【００５０】
次いで、ＣＤの再生が終了すると（ステップＳ３０）、システムコントローラ１１は、ＭＤ部１３ａ、１３ｂの記録動作を待機状態として（ステップＳ３１）この一連のＭＤ記録処理プログラムが終了したか否かを判定し（ステップＳ３２）、ＭＤ記録処理プログラムが終了していない場合（ステップＳ３２；Ｎｏ）、ステップＳ２２に移行する。
【００５１】
ステップＳ３２において、ＭＤ記録処理プログラムが終了した場合（ステップＳ３２；Ｙｅｓ）、ＭＤ部１３ａ、１３ｂにおける各種記録データをＭＤ部１３ａ、１３ｂに装填された各ＭＤのＵＴＯＣ記録エリアに記録して（ステップＳ３３）、上記一連のＭＤ記録編集処理を終了する。
【００５２】
ここで、上記一連のＭＤ記録編集処理をより具体的に説明する。
上記ＭＤ記録処理プログラムのＭＤ記録設定の内容として、例えば、ＭＤ部１３ａに装填されたＭＤには、上記ＣＤの１曲目をＡＴＲＡＣ圧縮方式によるＭＤＳＰモードで、３曲目をＡＴＲＡＣ３―ＬＰ４圧縮方法によるＭＤＬＰモードで、４曲目をＡＴＲＡＣ３―ＬＰ２圧縮方式によるＭＤＬＰモードで記録すると共に、ＭＤ部１３ｂに装填されたＭＤには、そのＣＤの２曲目をＡＴＲＡＣ３―ＬＰ４圧縮方式によるＭＤＬＰモードで、３曲目をＡＴＲＡＣ圧縮方式によるＭＤＳＰモードで、５曲目をＡＴＲＡＣ３―ＬＰ４圧縮方式によるＭＤＬＰモードで記録する記録設定がステップＳ２１においてなされているものとする。以下、このＭＤ記録設定に基づく記録処理を説明する。
【００５３】
システムコントローラ１１は、ステップＳ２１において作成された上記ＭＤ記録処理プログラムを順次読み取り、記録再生装置１０の記録動作を待機状態として（ステップＳ２２）、ＭＤの記録処理を行うか否かをその読み取った上記ＭＤ記録処理プログラムの内容に基づいて判定する（ステップＳ２３）。
【００５４】
システムコントローラ１１は、ＭＤ部１３ａの記録動作をＡＴＲＡＣ圧縮方式によるＭＤＳＰモードとして（ステップＳ２３；Ｙｅｓ）ＭＤ部１３ａの記録処理を実行すると共に（ステップＳ２４）、ＭＤ部１３ｂを記録停止状態とする（ステップＳ２６；Ｎｏ、ステップＳ２８）。それと同時に、システムコントローラ１１は、ＣＤの１曲目の再生を行う（ステップＳ２９）。これにより、その１曲目は、ＭＤ部１３ｂのＭＤには記録されず、ＭＤ部１３ａのＭＤにＭＤＳＰモードで記録される。
【００５５】
次いで、上記ＣＤの１曲目の再生が終了すると（ステップＳ３０）、システムコントローラ１１は、ＭＤ部１３ａ、１３ｂの記録動作を待機状態とし（ステップＳ３１）、次のステップＳ２２に進む（ステップＳ３２；Ｎｏ）。そこで、ＭＤ部１３ａの記録停止状態を保持したまま（ステップＳ２３；Ｎｏ、ステップＳ２５）、ＭＤ部１３ｂの記録動作をＡＴＲＡＣ３―ＬＰ４圧縮方式によるＭＤＬＰモードとして（ステップＳ２６；Ｙｅｓ）、ＭＤ部１３ｂの記録処理を実行する（ステップＳ２７）。それと同時に、システムコントローラ１１は、ＣＤの２曲目の再生を開始する（ステップＳ２９）。これにより、その２曲目は、ＭＤ部１３ａのＭＤには記録されず、ＭＤ部１３ｂのＭＤにＡＴＲＡＣ３―ＬＰ４圧縮方式によるＭＤＬＰモードで記録される。
【００５６】
次いで、上記ＣＤの２曲目の再生が終了すると（ステップＳ３０）、システムコントローラ１１は、ＭＤ部１３ａ、１３ｂの記録動作を待機状態とし（ステップＳ３１）、次のステップＳ２２に進む（ステップＳ３２；Ｎｏ）。そこで、ＭＤ部１３ａの記録動作をＡＴＲＡＣ３―ＬＰ４圧縮方式によるＭＤＬＰモードとして（ステップＳ２３；Ｙｅｓ）ＭＤ部１３ａの記録処理を実行すると共に（ステップＳ２４）、ＭＤ部１３ｂの記録動作をＡＴＲＡＣ圧縮方式によるＭＤＳＰモードとして（ステップＳ２３；Ｙｅｓ）ＭＤ部１３ｂの記録処理を実行する（ステップＳ２７）。それと同時に、システムコントローラ１１は、ＣＤの３曲目の再生を開始する（ステップＳ２９）。これにより、その３曲目は、ＡＴＲＡＣ３―ＬＰ４圧縮方式のＭＤＬＰモードに基づいてＭＤ部１３ａのＭＤに記録されると共に、ＡＴＲＡＣ圧縮方式のＭＤＳＰモードに基づいてＭＤ部１３ｂのＭＤに記録される。
【００５７】
次いで、上記ＣＤの３曲目の再生が終了すると（ステップＳ３０）、システムコントローラ１１は、ＭＤ部１３ａ、１３ｂの記録動作を待機状態とし（ステップＳ３１）、次のステップＳ２２に進む（ステップＳ３２；Ｎｏ）。そこで、ＭＤ部１３ａの記録動作をＡＴＲＡＣ３―ＬＰ２圧縮方式によるＭＤＬＰモードとして（ステップＳ２３；Ｙｅｓ）ＭＤ部１３ａの記録処理を実行すると共に（ステップＳ２４）、ＭＤ部１３ｂの記録停止状態を保持する（ステップＳ２６；Ｎｏ、ステップＳ２８）。それと同時に、システムコントローラ１１は、ＣＤの４曲目の再生を開始する（ステップＳ２９）。これにより、その４曲目は、ＭＤ部１３ｂのＭＤには記録されず、ＭＤ部１３ａのＭＤにＡＴＲＡＣ３―ＬＰ２圧縮方式によるＭＤＬＰモードで記録される。
【００５８】
次いで、上記ＣＤの４曲目の再生が終了すると（ステップＳ３０）、システムコントローラ１１は、ＭＤ部１３ａ、１３ｂの記録動作を待機状態とし（ステップＳ３１）、次のステップＳ２２に進む（ステップＳ３２；Ｎｏ）。そこで、ＭＤ部１３ａの記録停止状態を保持したまま（ステップＳ２３；Ｎｏ、ステップＳ２５）、ＭＤ部１３ｂの記録動作をＡＴＲＡＣ３―ＬＰ４圧縮方式によるＭＤＬＰモードとして（ステップＳ２６；Ｙｅｓ）ＭＤ部１３ｂの記録処理を実行する（ステップＳ２７）。それと同時に、システムコントローラ１１は、ＣＤの５曲目の再生を開始する（ステップＳ２９）。これにより、その５曲目は、ＭＤ部１３ａのＭＤには記録されず、ＭＤ部１３ｂのＭＤにＡＴＲＡＣ３―ＬＰ４圧縮方式によるＭＤＬＰモードで記録される。
【００５９】
次いで、上記ＣＤの５曲目の再生が終了すると（ステップＳ３０）、システムコントローラ１１は、ＭＤ部１３ａ、及びＭＤ部１３ｂの記録動作を待機状態とし（ステップＳ３１）、ステップＳ２１で設定された上記ＭＤ記録処理プログラムを終了した後（ステップＳ３２；Ｙｅｓ）、ＭＤ部１３ａ、１３ｂのＭＤに対し、ＵＴＯＣの編集をそれぞれ行う（ステップＳ３３）。すなわち、ＭＤ部１３ａのＭＤのＵＴＯＣ記録エリアには、ＣＤの１曲目がＡＴＲＡＣ圧縮方式によるＭＤＳＰモードで、その３曲目がＡＴＲＡＣ３―ＬＰ４圧縮方式によるＭＤＬＰモードで、その４曲目がＡＴＲＡＣ３―ＬＰ２圧縮方式によるＭＤＬＰモードでそれぞれ録音されたこと等がテキスト情報として記録される。また、ＭＤ部１３ｂのＵＴＯＣ記録エリアには、ＣＤの２曲目がＡＴＲＡＣ３―ＬＰ４圧縮方式によるＭＤＬＰモードで、その３曲目がＡＴＲＡＣ圧縮方式によるＭＤＳＰモードで、その５曲目がＡＴＲＡＣ３―ＬＰ４圧縮方式によるＭＤＬＰモードでそれぞれ録音されたこと等がテキスト情報として記録される。
【００６０】
以上説明したように、本実施の形態における記録再生装置１０によれば、ＣＤ部１２に装填されたＣＤのデジタル音楽データをＭＤ部１３ａ、１３ｂの２つのＭＤに記録する際、この２つのＭＤに対する記録内容の設定がそれぞれ別々に行われる。すなわち、ＭＤ部１３ａのＣＤに記録する曲及び圧縮方法と、ＭＤ部１３ｂのＣＤに記録する曲及び圧縮方法をそれぞれ別々に設定され、その設定された内容に基づいてＭＤ記録処理プログラムが作成される。次いで、システムコントローラ１１は、そのＭＤ記録処理プログラムの内容に基づいて、ＣＤ部１２における再生処理、及びＭＤ部１３ａ、１３ｂにおける記録処理を同時に実行する。
【００６１】
従って、２つのＭＤに対し、一度のＣＤ再生動作でそれぞれ独立した記録設定が行えるので、２つのＭＤを別々に記録する手間が省け、操作性が向上すると共に、操作時間の短縮、及び消費電力の節約が図られる。
【００６２】
また、記録するＭＤ（記録先）または曲に応じて、ＡＴＲＡＣ、ＡＴＲＡＣ３―ＬＰ２、或いはＡＴＲＡＣ３―ＬＰ４といった音声圧縮方式を別々に設定できるので、どの曲でも好適な記録再生が可能となり、優れた操作性を実現できる。
【００６３】
また、圧縮方式をＭＤ（記録先）や曲に応じて選択できるので、圧縮方式を調整することによりＭＤに記録する曲を増やすことができる等、ＭＤを効率よく使用することが可能となる。
【００６４】
なお、本発明は、上記実施の形態の内容に限定されるものではなく、本発明の趣旨を逸脱しない範囲で適宜変更可能である。例えば、上記実施の形態においては、一つのＣＤから、２つのＭＤへの記録処理を説明したが、１つのＣＤから、３つ以上のＭＤへ記録可能な設定にしても良いし、半導体メモリ、ＤＶＤ―ＲＡＭ（Digital Versatile Disc-Random Access Memory）、ＤＶＤ―ＲＷ（ReWritable）等の再記録可能な記録媒体に記録することが可能な構成にしても良い。
【００６５】
また、本実施例では、ＭＤ等のように再記録可能な記録媒体への記録処理を説明したが、ＣＤ−Ｒ（Recordable）、ＤＶＤ―Ｒのように、再記録不可能な記録媒体を複数同時に記録できるようにしても良い。この際、ＣＤの同一トラックを所定回数だけ随時繰り返し再生するプログラムが実行可能であれば、複数の再記録不可能な記録媒体に対しても、記録する曲順等を各記録媒体で異ならせて複数同時に記録することが可能となる。
【００６６】
【発明の効果】
請求項１、または２に記載の発明によれば、曲毎に好適な記録モードを指定して記録することが可能となり、優れた機能性と操作性を備えた利便性の高い録音再生システムが実現できる。
【００６７】
請求項３記載の発明によれば、２つの記録装置に対してそれぞれ曲毎に記録モードを指定して記録することができるので、２つの記録装置を備えた録音再生システムにおいても記録モードを指定して各曲の記録が行え、より柔軟な記録操作が可能となり、機能性の高い録音再生システムが実現される。
【００６８】
請求項４記載の発明によれば、記録する記録媒体、または曲に応じて音声圧縮率を個別に設定できるので、どの曲でも好適な音声圧縮率で記録でき、優れた機能性と操作性を実現できるばかりでなく、音声圧縮率を曲毎に調整することにより、例えば、音質を優先しない曲に関しては高い音声圧縮率で記録し、逆に音質を優先する曲に関しては低い音声圧縮率で記録するなど、記録媒体を効率良く使用することが可能となり、経済性の向上も図られる。
【００６９】
請求項５記載の発明によれば、、一度の再生動作で複数の記録装置にそれぞれ異なる記録動作を行わせることができるので、記録の為の時間の短縮、及び消費電力の節約が図られる。
【図面の簡単な説明】
【図１】本発明の一実施の形態における記録再生装置１０の内部構成を説明するブロック図である。
【図２】同実施の形態の記録再生装置１０において、ＣＤのデジタル音楽データをＭＤに記録する動作を説明するフローチャートである。
【符号の説明】
１０記録再生装置
１１  ＣＤ部
１２ａ、１２ｂ  ＭＤ部
１３  システムコントローラ
１４  操作部
１５  表示部
１６  通信制御部
１７  出力選択部
１８  Ｄ／Ａコンバータ
１９  増幅器
【図１】
0003746192.tif 000002
【図２】
0003746192.tif 000003